(57)【要約】      （修正有）【課題】吊り下げられた物干し竿が、風で大きく振れたり、揺れたりすることを防止する。【解決手段】物干し竿２を吊り下げる第一のワイヤー５ａ，５ｂの固定個所は物干し竿の両端部近傍において二カ所にそれぞれ設けられ、前記第一のワイヤー５ａ，５ｂの固定個所は物干し竿２の外径を幅とした対向する二個所の固定点からそれぞれ互いに反発する方向に張架して天井面に固定、次に前記第一のワイヤー５ａ，５ｂ固定個所近傍の物干し竿２外径上部にそれぞれ一個所ずつ第二のワイヤー６固定点を設け、該第二のワイヤー固定点から出発する第二のワイヤーは互いに装架される物干し竿の長手方向に沿って互いに内側方向に張架されて天井面の同一位置で固定されるか、または、若干の距離をおいて張架する構成となし、物干し竿２の長手方向に沿って左右に揺れることを防止した。【選択図】図５
2008212354.tif 000002
【特許請求の範囲】
【請求項１】
物干し竿を吊り下げる第一のワイヤーの固定個所は物干し竿の両端部近傍において二カ所にそれぞれ設けられ、前記第一のワイヤーの固定個所は物干し竿の外径を幅とした対向する二個所の固定点からそれぞれ互いに反発する方向に張架して天井面に固定されるそれぞれ二本のワイヤーから成り
前記一対の第一のワイヤーの張架により装架される物干し竿は該物干し竿の長手方向に対して前後に揺れることを防止し、
次に前記第一のワイヤー固定個所近傍の物干し竿外径上部にそれぞれ一個所ずつ第二のワイヤー固定点を設け、
該第二のワイヤー固定点から出発する第二のワイヤーは装架される物干し竿の長手方向に沿って互いに内側方向に張架されて天井面の同一位置で固定されるか、または、若干の距離をおいて張架する構成となし、
前記一対の第二のワイヤーの張架により装架される物干し竿は該物干し竿の長手方向に沿って左右に揺れることを防止したこと、
を特徴とする天井からの吊り下げ型物掛け装置。
【請求項２】
対向して設けられた一対の竿掛けアームに二本の物干し竿が装架された形状の吊り下げ型物干しにおいて、
該物干し竿を装架する竿掛けアームを吊り下げる第一のワイヤーの固定個所は前記竿掛けアームの上側両端部近傍と該中央部の三個所にそれぞれ設けられ、
前記竿掛けアームの第一のワイヤーの固定個所である両端部二個所の固定点からそれぞれ垂直方向に張架して天井面に固定される二本のワイヤーと前記竿掛けアームの中央部の固定個所からＶ字型に張架され前記垂直方向に張架して天井面に固定されたワイヤーと同一位置にそれぞれ固定される四本のワイヤーから成る第一のワイヤー機構、
該一対の第一のワイヤー機構の張架により物干しアームに装架される二本の物干し竿は該物干し竿の長手方向に対して前後に揺れることを防止し、
次に前記第一のワイヤー固定個所のある竿掛けアーム中央部における固定個所にそれぞれ一個所ずつ第二のワイヤー固定点を設け、
該第二のワイヤー固定点から出発する第二のワイヤー機構は竿掛けアームに装架される物干し竿の長手方向に沿って互いに内側方向に張架されて天井面の同一位置で固定されるか、または、若干の距離をおいて張架する構成となし、
該一対の第二のワイヤー機構の張架により装架される二本の物干し竿は該物干し竿の長手方向に沿って左右に揺れることを防止したこと、
を特徴とする天井からの吊り下げ型物掛け装置。
【請求項３】
前記吊り下げ型物干しに使用される一対の第二のワイヤー、または第２のワイヤー機構の構成は、該ワイヤーに変えて平板形状のバネ材を用いること、
を特徴とする請求項１または請求項２のいずれかに記載された天井からの吊り下げ型物掛け装置。
【請求項４】
前記吊り下げ型物干しに使用される第一のワイヤー、第二のワイヤー、または、第一のワイヤー機構、第二のワイヤー機構は、それぞれ物干し竿の中央部で該物干し竿をジョイントして長尺物となし、
前記第一のワイヤー、第二のワイヤー、または第一のワイヤー機構、第二のワイヤー機構を連装して設けたこと、
を特徴とする請求項１乃至請求項３のいずれかに記載された天井からの吊り下げ型物掛け装置。
【請求項５】
前記吊り下げ型物干しに使用される第一のワイヤー、第二のワイヤーまたは第一のワイヤー機構、第二のワイヤー機構において、該第一のワイヤー、第二のワイヤー、または第一のワイヤー機構、第二のワイヤー機構の天井面固定位置の設定は、それぞれ所定位置に予めフック等の固定具を設けた化粧材からなる天井板を製作しておき、
該固定具を設けた化粧材からなる天井板を天井に施工した後に第一のワイヤー、第二のワイヤー、または第一のワイヤー機構、第二のワイヤー機構を取り付けること、
を特徴とする請求項１乃至請求項４のいずれかに記載された天井からの吊り下げ型物掛け装置。
【発明の詳細な説明】
【技術分野】
【０００１】
本発明は、テラスやベランダの軒天井から物干し竿を吊り下げ、該物干し竿に洗濯物を干したり、また、室内天井から吊り下げた竿を物掛けハンガーとして用いることのできる吊り下げ型物掛け装置に関するものである。
【０００２】
従来から、物干し竿を天井から紐やワイヤーを用いて吊り下げる方式の図２２に示す物干し装置や、天井から竿掛けアームを縣架して、該縣架した竿掛けアーム間に物干し竿を装架する方式の図２３に示す物干し装置は、一般的によく知られている。
【０００３】
前記図２２に示す如く、物干し竿５０を紐やワイヤー５１ａ、５１ｂを用いて吊下げる方式の物干し竿装置５２においては、吊り下げられた物干し竿５０が、その前後方向Ａ−Ａや、左右Ｂ−Ｂ方向に風で大きく振れたり、揺れたりするので洗濯物が煽られて回りの壁面等に接触して折角の洗濯物を汚してしまうことや、テラスやベランダにいた人が、風で煽られた竿の端部等で顔や頭にケガをすることがあり、室外向けには、あまり普及する物干し装置ではなかった。
【０００４】
また、屋内用に物干し竿を天井から紐やワイヤーを用いて吊り下げる物干し装置（形状は図２２と同じ）もあるが、該室内用ワイヤー吊り下げ物干し装置は、未使用時の居住空間で、２本のワイヤーにて物干し竿の両端を吊り下げる従来からの構成を引きついたものであり、物干し竿が振れたり、揺れたりすることに関する考察や、対策は施されておらず、前記物干し竿を２本のワイヤーにて巻き上げて天井部近傍に収納する複雑な機能が付加されているだけのものである。
【０００５】
次に、前記図２３に示す如く、金属製の吊材からなる竿掛けアーム５３ａ、５３ｂを軒天井５４から縣架し、該懸架した竿掛けアーム５３ａ、５３ｂに物干し竿５０ａ、５０ｂを架け渡しする方式の物干し装置５５は、物干し竿が風に煽られて振れたり、揺れたりすることはなくテラスやベランダ等の屋外向けとして一般的に良く用いられている。
【０００６】
然しながら、テラスやベランダの軒天井５４より縣架され、且つ、物干し竿５１ａ、５１ｂを装架した物干し装置５５は、軒天井５４から下方に向かって突設された形状を有しており、その縣架位置や高さを配慮しないとテラスやベランダに出る度に物干し装置５５にぶつかったり接触してケガをすることがあり、テラスやベランダを物干し場以外の使用目的に活用するすべもなかった。
【０００７】
そして、テラスやベランダ等の屋外に設置される竿掛けアーム５３ａ、５３ｂは、屋外での長期の耐久性や堅牢さが求められて丈夫な金属製パイプや棒状材が使用されており、建物の屋外景観を考えた意匠性は全く無視されたデザインのものが多く美しくない。
【発明の開示】
【発明が解決しようとする課題】
【０００８】
而して、本発明が、解決しようとする課題は、物干し竿をワイヤー等を用いて吊下げる方式の物干し竿において、該吊り下げられた物干し竿が、風で大きく振れたり、揺れたりすることを防止した天井からの吊り下げ型物掛け装置を提供するものである。
【０００９】
本発明は、物干し竿をワイヤー等を用いて吊り下げる方式の物干し竿において、特に下方向からの衝突や接触に対しては、可撓性があり、人が物干し装置に接触した場合にもその衝撃力が柔らかく、ケガの防止等ができる天井からの吊り下げ型物掛け装置を提供するものである。
【００１０】
また、本発明は、物干し竿をワイヤー等を用いて吊下げる方式の物干し竿において、該吊り下げられた物干し竿が、風で大きく振れたり、揺れたりすることを防止すると共に、該物干し竿を吊り下げるワイヤー機構が細くてシャープな単純機構を有していることから、建物の屋外や室内における景観は、物干し竿がベランダやテラス、そして、室内の空間中に１本、または、２本浮いただけの景観となり、デザイン的に優れた景観を創造するだけでなく従来型の竿掛けアームを天井から突設して縣架する物干し装置と比較して構成部品が大幅に少なく製造原価の削減に大きく寄与する天井からの吊り下げ型物掛け装置を提供するものである。
【００１１】
更に、本発明は、従来の２本のワイヤーにて物干し竿の両端を吊り下げ、該物干し竿を２本のワイヤーにて巻き上げて天井部近傍に収納する室内用ワイヤー吊り下げ機構付き物干し装置の如く、ワイヤー巻き取り装置等、複雑な構成部品を必要とせず、製造コストを安価に押さえることができる。
【課題を解決するための手段】
【００１２】
而して、本発明は、上記の従来装置の欠点を解消して、テラスやベランダの軒天井から物干し竿を吊り下げ、該物干し竿に洗濯物を干したり、また、室内天井から吊り下げた竿を物掛けハンガーとして用いることのできる吊り下げ型物掛け装置を提供するものである。
【００１３】
本発明における課題の解決手段は、物干し竿を吊り下げる第一のワイヤーの固定個所は物干し竿の両端部近傍において二カ所にそれぞれ設けられ、前記第一のワイヤーの固定個所は物干し竿の外径を幅とした対向する二個所の固定点からそれぞれ互いに反発する方向に張架して天井面に固定されるそれぞれ二本のワイヤーから成り、該一対の第一のワイヤーの張架により装架される物干し竿は該物干し竿の長手方向に対して前後に揺れることを防止し、次に前記第一のワイヤー固定個所近傍の物干し竿外径上部にそれぞれ一個所ずつ第二のワイヤー固定点を設け、該第二のワイヤー固定点から出発する第二のワイヤーは装架される物干し竿の長手方向に沿って互いに内側方向に張架されて天井面の同一位置で固定されるか、または、若干の距離をおいて張架する構成となし、該一対の第二のワイヤーの張架により装架される物干し竿は該物干し竿の長手方向に沿って左右に揺れることを防止したことを特徴とするものである。
【００１４】
また、本発明における課題の解決手段は、一対の竿掛けアームに二本の物干し竿が装架された形状の吊り下げ型物干しにおいて、物干し竿を装架する竿掛けアームを吊り下げる第一のワイヤーの固定個所は竿掛けアームの上側両端部近傍と該中央部の三個所にそれぞれ設けられ、前記竿掛けアームの第一のワイヤーの固定個所である両端部二個所の固定点からそれぞれ垂直方向に張架して天井面に固定される二本のワイヤーと前記竿掛けアームの中央部の固定個所からＶ字型に張架され前記垂直方向に張架して天井面に固定されたワイヤーと同一位置にそれぞれ固定される四本のワイヤーから成る第一のワイヤー機構、該一対の第一のワイヤー機構の張架により物干しアームに装架される二本の物干し竿は該物干し竿の長手方向に対して前後に揺れることを防止し、次に前記第一のワイヤー固定個所のある竿掛けアーム中央部における固定個所にそれぞれ一個所ずつ第二のワイヤー固定点を設け、該第二のワイヤー固定点から出発する第二のワイヤー機構は竿掛けアームに装架される物干し竿の長手方向に沿って互いに内側方向に張架されて天井面の同一位置で固定されるか、または、若干の距離をおいて張架する構成となし、該一対の第二のワイヤー機構の張架により装架される二本の物干し竿は該物干し竿の長手方向に沿って左右に揺れることを防止したことを特徴とするものである。
【００１５】
そして、本発明において、吊り下げ型物干しに使用される第二のワイヤー、または第二のワイヤー機構の構成は、該ワイヤーに変えて平板形状のバネ材を用いることも好ましい。
【００１６】
本発明において、吊り下げ型物干しに使用される第一のワイヤー、第二のワイヤーまたは、第一のワイヤー機構、第二のワイヤー機構は、それぞれ物干し竿の中央部で該物干し竿をジョイントして長尺物となし、前記第一のワイヤー、第二のワイヤー、または第一のワイヤー機構、第二のワイヤー機構を連装して設けることも好ましい本発明の実施例である。
【００１７】
また、本発明は、吊り下げ型物干しに使用される第一のワイヤー、第二のワイヤー、または第一のワイヤー機構、第二のワイヤー機構において、該第１のワイヤー、第２のワイヤー、または第一のワイヤー機構、第二のワイヤー機構の天井面固定位置の設定は、それぞれ所定位置に予めフック等の固定具を設けた化粧材からなる天井板を製作しておき、該固定具を設けた化粧材からなる天井板を天井に施工した後に第一のワイヤー、第二のワイヤー、または第一のワイヤー機構、第二のワイヤー機構を取り付けることも好ましい。
【００１８】
尚、本発明の施工例として、吊り下げ型物干しに使用される第一のワイヤー、第二のワイヤー、または第一のワイヤー機構、第二のワイヤー機構において、該第一のワイヤー、第二のワイヤー、または第一のワイヤー機構、第二のワイヤー機構の天井面固定位置の設定は、それぞれの形状に合わせた型紙を用意して前記固定位置を設定して、該部分にフックを取付ることにより該フックをワイヤーの固定具とすることもできる。
【発明の効果】
【００１９】
而して、本発明は、上記構成を提供することにより、物干し竿をワイヤー等を用いて吊下げる方式の物干し竿において、該吊り下げられた物干し竿が、風で大きく振れたり、揺れたりすることを防止した天井からの吊り下げ型物掛け装置を提供することができた。
【００２０】
そして、本発明は、物干し竿をワイヤー等を用いて吊り下げる方式の物干し竿において、特に下方向からの衝突や接触に対しては、可撓性があり、人が物干し装置に接触した場合にもその衝撃力が柔らかく、ケガの防止等ができる天井からの吊り下げ型物掛け装置を提供することができた。
【００２１】
また、本発明は、物干し竿をワイヤー等を用いて吊下げる方式の物干し竿において、該吊り下げられた物干し竿が、風で大きく振れたり、揺れたりすることを防止すると共に、該物干し竿を吊り下げるワイヤー機構が細くてシャープな単純機構を有していることから、建物の屋外や室内における景観は、物干し竿がベランダやテラス、そして室内の空間中に１本、またはは２本浮いただけの景観となり、デザイン的に優れた景観を創造するだけでなく、従来型の竿掛けアームを天井から突設して縣架する物干し装置と比較して構成部品が大幅に少なく製造原価の安価な天井からの吊り下げ型物掛け装置を提供することができた。
【００２２】
更に、本発明は、従来の２本のワイヤーにて物干し竿の両端を吊り下げ、該物干し竿を２本のワイヤーにて巻き上げて天井部近傍に収納する室内用ワイヤー吊り下げ機構付き物干し装置の如く、ワイヤー巻き取り装置等、複雑な構成部品を必要とせず、製造コストを安価に押さえることができると共に、デザイン的にシンプルですぐれており、室内に常設できる天井からの吊り下げ型物掛け装置を提供することができた。
【発明を実施するための最良の形態】
【００２３】
ここでは、以下に本発明の実施に際する補足的的な説明や幾つか本発明の明細書中の用語説明等を述べておきたい。
【００２４】
「物干し竿を天井から紐やワイヤーを用いて吊り下げる方式物干し装置」
従来の上記物干し装置従来装置として、図７に記載されているように物干し竿を天井から紐やワイヤーを用いて吊り下げる形状を有していた。
従って、従来のワイヤーを用いて吊り下げる方式物干し装置は、二本のワイヤーでアルミやステンレス等の物干し竿を天井から吊り下げるもので、該物干し装置は、風で大きく振れたり、揺れたりすることから、室内用物干し装置として主に使用されてきた経緯がある。
しかし、室内用に使用するには、未使用時の居住空間に限られていることから居住空間を他に使用する際には、物干し竿を天井近傍に引き上げて収納する前記吊り下げワイヤーの巻き取り装置等が必要になり、該巻き上げ装置等の鋼製部品の製作費等で非常に高い製品価格と成ってしまう。
【００２５】
「天井から竿掛けアームを縣架し竿掛けアーム間に物干し竿を装架する方式の物干し装置」
前記従来装置の説明に図８に記載された物干し装置は、金属製の吊材からなる竿掛けを天井から縣架し、該懸架された一対の竿掛けアームに物干し竿を数本、架け渡しする方式の物干し装置で物干し竿が風に煽られて振れたり、揺れたりすることはなくテラスやベランダ等の屋外向けとして一般的に良く用いられていた。
しかし、テラスやベランダの軒天井より縣架され、且つ、物干し竿を装架した物干し装置は、軒天井から下方に向かって突設された形状を有しており、その縣架位置や高さを配慮しないとテラスやベランダに出る度に該物干し装置にぶつかったり接触してケガをすることがあり、テラスやベランダを物干し場以外の使用目的に活用するすべもなかった。
【００２６】
而して、本発明は、上記二種類の物干し金物の改良に関するもので、デザイン的には、シャープで単純構造を有した物干し竿を天井から紐やワイヤーを用いて吊り下げる方式物干し装置をテラスやベランダ等の屋外物干しとして使用可能に構成した新しい天井からの吊り下げ型物掛け装置を提供することを目的とした発明と位置付けすることができる。
【００２７】
本発明の実施例の構成は、例えば、物干し竿を吊り下げる第一のワイヤーの固定個所は物干し竿の両端部近傍において二カ所にそれぞれ設けられ、前記第一のワイヤーの固定個所は物干し竿の外径を幅とした対向する二個所の固定点からそれぞれ互いに反発する方向に張架して天井面に固定されるそれぞれ二本のワイヤーから成り、該一対の第一のワイヤーの張架により装架される物干し竿は該物干し竿の長手方向に対して前後に揺れることを防止し、次に前記第一のワイヤー固定個所近傍の物干し竿外径上部にそれぞれ一個所ずつ第二のワイヤー固定点を設け、該第二のワイヤー固定点から出発する第二のワイヤーは互いに装架される物干し竿の長手方向に沿って互いに内側方向に張架されて天井面の同一位置で固定されるか、または、若干の距離をおいて張架する構成となし、該一対の第二のワイヤーの張架により装架される物干し竿は該物干し竿の長手方向に沿って左右に揺れることを防止したものである。
【００２８】
上記構成における第１のワイヤーとは、張線を意味しており、該第一のワイヤーは、物干し竿の端部近傍からそれぞれ天井に最低二本張架して、物干し竿の荷重を支えると共に物干し竿の長手方向に対して該物干し竿が前後に振れることを止め効果を奏します。
【００２９】
また、上記第二のワイヤーは、取付幅方向、即ち、物干し竿の長手方向に対して左右の振れを防止するもので、前記第一のワイヤーと同一素材の張線を用いたり、弾性を有する線状や帯状のバネ鋼材等を用いることにより、その効果を高めるピッチングステーを構成します。
【００３０】
尚、上記物干し竿は、実施例として直径３０ｍｍ程度のステンレス製とすることが好ましく、また、該ステンレス製の物干し竿を竿掛けアームに複数本装架させる構成に進化させた場合には、該竿掛けアームの材質をアルミダイキャスト等の金属製とすることや、硬質なプラスチック製とするこが可能となります。
【００３１】
そして、前記第一のワイヤーや第二のワイヤーを天井に取り付ける際には、予め天井面にフックやヒートンを固着し（仕様によりアンカー等を用いることも可能）、該フック等の固着具に、物干し竿に固着された前記第一のワイヤーや第二のワイヤーを引っ掛けて施工を完了できます。
【００３２】
斯くして、本発明は、テラスやベランダ、そして室内用の物干しとして使用できるばかりでなく、室内の物掛けハンガーとしても利用できます。
物掛けハンガーは、床面への独立置型を配置して衣服等を掛ける場合が多々ありますが、本発明のワイヤーを用いて吊り下げる方式を採用することにより、床面の有効スペースが生じて室内を広く使える他、該室内の床面清掃時に邪魔にならずに便利です。
【実施例１】
【００３３】
図１は本発明の実施例１を説明する天井伏せ図、図２は図１の正面図、図３は図２の側面図を示している。また、図４は実施例１における吊り材と物干し竿の関係を説明する該部分の拡大図であり、図５は実施例１を説明する斜視説明図、図６は実施例１の応用例、図７は実施例１の他の応用例を説明するものである。
【００３４】
図１乃至図７において、１は実施例１の吊り下げ型物掛け装置、２は物干し竿、３ａ、３ｂは物干し竿の端部、４は天井面、５ａ、５ｂは前記物干し竿２を天井面４から吊り下げる第一のワイヤー、６、６は同様に前記物干し竿２を天井面４から吊り下げる第二のワイヤーである。
【００３５】
而して、第一のワイヤー５ａ、５ｂは物干し竿２のそれぞれの端部３ａ、３ｂにそれぞれ二個所の固定個所７ａ、７ｂを有しており、該第一のワイヤー５ａ、５ｂの固定個所７ａ、７ｂは、図４に示す如く物干し竿２の外径Ｗを幅とした対向する二個所の固定点８ａ、８ｂからそれぞれ第一のワイヤー５ａ、５ｂが出発し、該第一のワイヤー５ａ、５ｂは、互いに反発する方向に張架して天井面４の天井固定点９ａ、９ｂに固定されている。
【００３６】
そして、前記第一のワイヤー５ａ、５ｂは図５の斜視図に示す如く、物干し竿２の端部３ａ、３ｂにそれぞれ対に設けられており、該一対の第一のワイヤー５ａ、５ｂの張架により装架される物干し竿２は該物干し竿２の長手方向に対して前後（図５に示すＡ−Ａ方向）に揺れることを防止している。
【００３７】
また、前記第一のワイヤー５ａ、５ｂの固定個所７ａ、７ｂ近傍の物干し竿２外径上部にそれぞれ一個所ずつ第二のワイヤー６、６の固定点１０ａ、１０ｂを設け、該第二のワイヤー６、６の固定点１０ａ、１０ｂから出発する第二のワイヤー６、６は互いに装架される物干し竿２の長手方向に沿って互いに内側方向に張架されて天井面４に設けられた同一位置の固定点１２で固定されている構成としている（図５に示す）。
【００３８】
そして、前記一対の第二のワイヤー６、６の張架により物干し竿２は該物干し竿２の長手方向に沿って左右（図５に示すＢ−Ｂ方向）に揺れることを防止ししている。
尚、図５において、天井面４の天井固定点９ａ、９ｂ、並びに固定点１２に示されている中心線は、それぞれ天井面４に仮想の取付位置を書き込んだものとして、天井面４を示している。
【００３９】
図６は、実施例１の応用例であり、図６において図１乃至図５と同一符号は同一構成要素を示している。図６の実施例は第二のワイヤー６、６の固定点１０ａ、１０ｂから出発する第二のワイヤー６、６は装架される物干し竿２の長手方向に沿って互いに内側方向に張架されて若干の距離をおいて固定点１２ａ、１２ｂで、張架する構成とし、物干し竿２の長さ等に対応している。
【００４０】
また、図７は、実施例１の他の応用例を示すもので、図７において、前記実施例１吊り下げ型物干しに使用される一対の第二のワイヤー６、６は、該ワイヤー６、６に変えて平板形状のバネ材１３、１３を用いる構成としている。
【００４１】
斯くして、実施例１は、上記構成を提供することにより、物干し竿をワイヤー等を用いて吊下げる方式の物干し竿において、該吊り下げられた物干し竿が、風で大きく振れたり、揺れたりすることを防止した天井からの吊り下げ型物掛け装置１を提供することができた。
【００４２】
また、実施例１は、物干し竿をワイヤー等を用いて吊り下げる方式の物干し竿において、特に下方向からの衝突や接触に対しては、可撓性があり、人が物干し装置に接触した場合にもその衝撃力が柔らかく、ケガの防止等ができる天井からの吊り下げ型物掛け装置を提供することができた。
【００４３】
更に実施例１は、物干し竿をワイヤー等を用いて吊下げる方式の物干し竿において、該吊り下げられた物干し竿が、風で大きく振れたり、揺れたりすることを防止すると共に、該物干し竿を吊り下げるワイヤー機構が細くてシャープな単純機構を有していることから、建物の屋外や室内における景観は、物干し竿がベランダやテラス、そして室内の空間中に１本浮いただけの景観となり、デザイン的に優れた景観を創造するだけでなく、従来型の竿掛けアームを天井から突設して縣架する物干し装置と比較して構成部品が大幅に少なく製造原価の安価な天井からの吊り下げ型物掛け装置を提供することができた。
【実施例２】
【００４４】
図８は実施例２を説明する斜視説明図である。図８において、図１乃至図７と同一構成要素は同一符号にて説明している。
図８において、１は実施例２の吊り下げ型物掛け装置、２ａ、２ｂは物干し竿、１４ａ、１４ｂは物干し竿を装架する竿掛けアーム、４は天井面、５ａ、５ｂ、５ｃ、５ｄは前記竿掛けアーム１４ａ、１４ｂを天井面４から吊り下げる第一のワイヤー、６、６は同様に前記物干しアーム１４ａ、１４ｂを天井面４から吊り下げる第二のワイヤーである。
【００４５】
而して、第一のワイヤー５ａ、５ｂ、５ｃ、５ｄは竿掛けアーム１４ａ、１４ｂのそれぞれの上部に三個所の固定個所７ａ、７ｂ、７ｃを有しており、該三個所の固定個所７ａ、７ｂ、７ｃを固定点８ａ、８ｂ、８ｃとして、それぞれ第一のワイヤー５ａ、５ｂ、５ｃ、５ｄが出発し、該第一のワイヤー５ａ、５ｂ、５ｃ、５ｄは、天井面４の天井固定点９ａ、９ｂに固定されている。
【００４６】
そして、第一のワイヤー５ａ、５ｂ、５ｃ、５ｄと第一のワイヤー５ａ、５ｂ、５ｃ、５ｄとにより縣架される竿掛けアーム１４ａ、１４ｂは前記物干し竿２ａ、２ｂの長手方向に対して前後（図８に示すＡ−Ａ方向）に揺れることを防止している。
【００４７】
また、前記第一のワイヤー５ａ、５ｂ、５ｃ、５ｄの固定個所７ｂから第二のワイヤー６、６の固定点１０ａ、１０ｂを設け、該固定点１０ａ、１０ｂから出発する第二のワイヤー６、６は互いに装架される物干し竿２ａ、２ｂの長手方向に沿って互いに内側方向に張架されて天井面４に設けられた同一位置の固定点１２で固定されている構成としている（図８に示す）。
【００４８】
そして、前記一対の第二のワイヤー６、６の張架により竿掛けアーム１４ａ、１４ｂを介して設けられた物干し竿２ａ、２ｂは該物干し竿２の長手方向に沿って左右（図８に示すＢ−Ｂ方向）に揺れることを防止している
尚、図８において、天井面４の天井固定点９ａ、９ｂ、並びに固定点１２に示されている中心線は、それぞれ天井面４に仮想取付け位置を書き込んだものとして天井面４を示している。
【００４９】
図９は、実施例２の応用例であり、図９の実施例は第二のワイヤー６、６の固定点１０ａ、１０ｂから出発する第二のワイヤー６、６は装架される物干し竿２ａ、２ｂの長手方向に沿って互いに内側方向に張架されて若干の距離をおいて固定点１２ａ、１２ｂで、張架する構成とし、物干し竿２ａ、２ｂの長さ等に対応している。
【００５０】
また、実施例２の他の応用例として図７において実施したように一対の第二のワイヤー６、６を平板形状のバネ材に換えることも可能である。
【実施例３】
【００５１】
図１０並びに図１３は、本発明の実施例３を説明するもので、図１乃至図９と同一符号は同一構成要素をしめしている。
図１０並びに図１３において、前記吊り下げ型物干し装置１に使用される物干し竿２は、それぞれの物干し竿２の中央部で図１１並びに図１２の示す如くのジョイント部材１５を用いて、該物干し竿２をジョイントして長尺物となし、第一のワイヤー５ａ、５ｂを三個所、そして、第二のワイヤー６、６を一個所づつ増やして連装形状とした。
【００５２】
また、図１４、並びに図１６は、本発明の施工の一例を説明するもので、図１乃至図１３と同一符号は同一構成要素を示している。
【００５３】
図１４は、吊り下げ型物干し装置１に使用される第一のワイヤー、第二のワイヤーの天井面４における固定点９ａ、９ｂ、そして固定点１２の設定は、それぞれの形状に合わせた型紙１６を用意して該型紙１６を天井面４にあてがい前記固定位置を設定し、該部分に図１６に示すようなフック１７、１８等を取り付ける構成とした。
尚、図１４における型紙１６は、例えば図５に示す５点フック用、図１５における型紙１６は、図６に示す６点フック用である。
【実施例４】
【００５４】
図１７乃至図２１は、本発明の実施例５を説明するもので、前記図１乃至図１６と同一符号は同一構成要素を示している。
【００５５】
図１７において、吊り下げ型物干し装置１に使用される第一のワイヤー、第二のワイヤーの天井面４における固定点９ａ、９ｂ、そして固定点１２の設定は、Ｘ型に製作した化粧材からなる天井板１９を天井に施工した後に第一のワイヤー、第二のワイヤー、または第一のワイヤー機構、第二のワイヤー機構を取り付ける構成としている。
【００５６】
また、図１８においては、Ｉ型に製作した化粧材からなる天井板２０ａ、２０ｂ並列して天井に施工した後に第一のワイヤー、第二のワイヤー、または第一のワイヤー機構、第二のワイヤー機構を取り付ける構成としている。
【００５７】
そして、図１７の実施例、図１８の実施例においては、予め所定の固定点９ａ、９ｂ、そして固定点１２に図１９に示すフック２１を固着しておいてもよい。
【００５８】
更に、図２０及び図２１の実施例は、意匠性のある天井板２２ａ、２２ｂ並びに１枚の天井板２３を天井に施工した後に第一のワイヤー、第二のワイヤー、または第一のワイヤー機構、第二のワイヤー機構を取り付ける構成としている。
【産業上の利用可能性】
【００５９】
而して、本発明は、吊り下げられた物干し竿が、風で大きく振れたり、揺れたりすることを防止した天井からの吊り下げ型物掛け装置を提供するもので、あり、特に本発明は、物干し竿をワイヤー等を用いて吊り下げる方式の物干し竿において、特に下方向からの衝突や接触に対しては、可撓性があり、人が物干し装置に接触した場合にもその衝撃力が柔らかく、ケガの防止等ができる天井からの吊り下げ型物掛け装置を提供することができた。
【００６０】
また、本発明は、物干し竿をワイヤー等を用いて吊下げる方式の物干し竿において、該吊り下げられた物干し竿が、風で大きく振れたり、揺れたりすることを防止すると共に、該物干し竿を吊り下げるワイヤー機構が細くてシャープな単純機構を有していることから、建物の屋外や室内の景観は、物干し竿がベランダやテラス、そして、室内の空間中に１本、またはは２本浮いただけの景観となり、デザイン的に優れた景観を創造するだけでなく、従来型の竿掛けアーム等、天井から突設して縣架する物干し装置と比較して、構成部品が大幅に少なく製造原価の安価な天井からの吊り下げ型物掛け装置を提供するもので、当該効果は、産業上頗る有益である。
【図面の簡単な説明】
【００６１】
【図１】本発明の実施例１を説明する天井伏せ図である。
【図２】本発明の実施例１を説明する図１の正面図である。
【図３】本発明の実施例１を説明する図１の側面図である。
【図４】本発明の実施例１を説明する部分拡大図である。
【図５】本発明の実施例１を説明する斜視説明図である。
【図６】本発明の実施例１の応用例説明図である。
【図７】本発明の実施例１の他の応用例説明図である。
【図８】本発明の実施例２を説明する斜視説明図である。
【図９】本発明の実施例２の他の応用例説明図である。
【図１０】本発明の実施例３を説明する斜視説明図である。
【図１１】図１０を説明する部分拡大図である。
【図１２】本発明の実施例３他の応用例を説明する斜視説明図である。
【図１３】図１２の本発明の部分拡大図である。
【図１４】本発明の施工例説明図である。
【図１５】本発明の施工例説明図である。
【図１６】本発明の施工例に使用される部品説明図である。
【図１７】本発明の実施例４説明図である。
【図１８】本発明の実施例４説明図である。
【図１９】本発明の実施例４に使用される部品説明図である。
【図２０】本発明の実施例４説明図である。
【図２１】本発明の実施例４説明図である。
【図２２】従来の物干し装置の一例を説明する斜視図である。
【図２３】従来の物干し装置、他の一例を説明する斜視図である。
【符号の説明】
【００６２】
１  吊り下げ型物掛け装置
２、２ａ、２ｂ  物干し竿
３ａ、３ｂ  物干し竿の端部
４  天井面
５ａ、５ｂ、５ｃ、５ｄ  第一のワイヤー
６  第二のワイヤー
７ａ、７ｂ  固定個所
８ａ、８ｂ  固定点
９ａ、９ｂ  天井固定点
１０ａ、１０ｂ  第２のワイヤーからの固定点
１２  固定点
１３  平板形状のバネ
１４ａ、１４ｂ  竿掛けアーム
１５  ジョイント部材
１６  紙型
１７  フック
１８  フック
１９  天井板
２０ａ、２０ｂ  天井板
２１  フック
２２ａ、２２ｂ  天井板
５０、５０ａ、５０ｂ  物干し竿
５１ａ、５１ｂ  紐やワイヤー
５２  物干し装置
５３ａ、５３ｂ  竿掛けアーム
５４  軒天井
５５物干し装置
Ａ−Ａ  前後方向
Ｂ−Ｂ  左右方向
Ｗ  物干し竿の外径
【図１】
2008212354.tif 000003
【図２】
2008212354.tif 000004
【図３】
2008212354.tif 000005
【図４】
2008212354.tif 000006
【図５】
2008212354.tif 000007
【図６】
2008212354.tif 000008
【図７】
2008212354.tif 000009
【図８】
2008212354.tif 000010
【図９】
2008212354.tif 000011
【図１０】
2008212354.tif 000012
【図１１】
2008212354.tif 000013
【図１２】
2008212354.tif 000014
【図１３】
2008212354.tif 000015
【図１４】
2008212354.tif 000016
【図１５】
2008212354.tif 000017
【図１６】
2008212354.tif 000018
【図１７】
2008212354.tif 000019
【図１８】
2008212354.tif 000020
【図１９】
2008212354.tif 000021
【図２０】
2008212354.tif 000022
【図２１】
2008212354.tif 000023
【図２２】
2008212354.tif 000024
【図２３】
2008212354.tif 000025